(57)【要約】      （修正有）【課題】雨漏り検査で得られたデータが示す原因や対処法を依頼者に分かり易く説明することを可能にする雨漏り検査結果報告書用印刷物を提供する。【解決手段】日付欄１１、タイトル欄１２、依頼人欄１３を配した表紙部１０を設ける。検査日欄、建物種類別欄、漏水箇所指定欄を配した報告書本体２０を設ける。検査状況を撮影した写真を備えた写真資料部３０を設ける。報告書本体２０に、一定量だけ注入した検査用液体の量の変化が記録される検査結果欄を設ける。報告書本体２０に、注入した検査用液体が排出される経路が記録される漏水経緯欄を設ける。報告書本体２０に、該漏水経緯から分析した雨漏りの原因が記載される雨漏原因欄を設ける。【選択図】図１
0003149652.tif 000002
【実用新案登録請求の範囲】
【請求項１】
日付欄、タイトル欄、依頼人欄を設けた表紙部と、検査日欄、建物種類別欄、漏水箇所指定欄を設けた報告書本体と、検査状況を撮影した写真を備えた写真資料部とからなり、報告書本体に、一定量だけ注入した検査用液体の量の変化が記録される検査結果欄と、注入した検査用液体が排出される経路が記録される漏水経緯欄と、該漏水経緯から分析した雨漏りの原因が記載される雨漏原因欄と、を設けたことを特徴とする雨漏り検査結果報告書用印刷物。
【請求項２】
前記報告書本体に、前記漏水経緯欄及び前記検査結果欄の記録に基づいて目視並びに内視鏡で確認された雨漏りによる主要構造体及び下地材への影響が記録される、建物に与えた影響欄を設けた請求項１記載の雨漏り検査結果報告書用印刷物。
【請求項３】
前記写真資料部は、前記漏水経緯欄に記録された検査用液体が排出される経路を撮影した排出経路写真を記録するように設けられた請求項１着記載の雨漏り検査結果報告書用印刷物。
【請求項４】
前記写真資料部は、前記建物に与えた影響欄に記録された雨漏りによる主要構造体及び下地材への影響状態を撮影した影響状態写真を記録するように設けられた請求項２着記載の雨漏り検査結果報告書用印刷物。
【考案の詳細な説明】
【技術分野】
【０００１】
本考案は、建造物の雨漏りの原因となる箇所を検査した後、雨漏りの原因や対処法を正確に報告することが可能な雨漏り検査結果報告書用印刷物に関するものである。
【背景技術】
【０００２】
従来、建造物の雨漏り箇所を検出する手法として、例えば、着色した水を一定の場所から散布し、雨漏り箇所からこの着色した水が漏れ出るか否かを確認することで、雨漏り箇所を検出する手法がある（特許文献１）。
【０００３】
このような手法では、雨漏り箇所から着色した水が漏れ出た部分についての特定は可能でも、着色した水が漏れ出ない場合の判断が困難になる不都合があった。すなわち、建造物に雨水が浸入していても、建造物内に滞留している場合や、目に見える箇所から漏れ出ない場合などでは、雨漏り箇所の検出が困難になっている。
【０００４】
そこで、当考案者は、雨漏り箇所や原因を正確に特定することができる雨漏り検査方法や検査装置の発明を先に提案している。この発明は、特定の箇所に対して検査用液体を注入する注入量制御装置等を設け、一定量だけ注入した検査用液体の量の変化を検出することで雨漏りの原因を特定するものである。
【特許文献１】特許第４０８５０２４号公報
【考案の開示】
【考案が解決しようとする課題】
【０００５】
ところが、当考案者が先に提案した雨漏り検査方法は、従来にない特殊な検査方法であることから、検査したデータを依頼者に説明する際に、データが示す原因や対処法を客観的見地から分かり易く説明する手段が望まれることになった。しかも、該雨漏り検査方法が検査手法として広く行われるようになった場合でも、データの説明が十分でない場合には、該雨漏り検査方法を生かすことができなくなるおそれもある。
【０００６】
そこで本考案は上述の課題を解消すべく案出されたもので、新しい雨漏り検査方法で得られたデータが示す原因や対処法を依頼者に分かり易く説明することを可能にする雨漏り検査結果報告書用印刷物の提供を目的とするものである。
【課題を解決するための手段】
【０００７】
上述の目的を達成すべく本考案の第１の手段は、日付欄１１、タイトル欄１２、依頼人欄１３を設けた表紙部１０と、検査日欄２５、建物種類別欄２６、漏水箇所指定欄２７を設けた報告書本体２０と、検査状況を撮影した写真を備えた写真資料部３０とからなり、報告書本体２０に、一定量だけ注入した検査用液体の量の変化が記録される検査結果欄２１と、注入した検査用液体が排出される経路が記録される漏水経緯欄２２と、該漏水経緯から分析した雨漏りの原因が記載される雨漏原因欄２３と、を設けたことにある。
【０００８】
第２の手段は、前記報告書本体２０に、前記漏水経緯欄２２及び前記検査結果欄２１の記録に基づいて目視並びに内視鏡で確認された雨漏による主要構造体及び下地材への影響が記録される、建物に与えた影響欄２４を設けている。
【０００９】
第３の手段において、前記写真資料部３０は、前記漏水経緯欄２２に記録される検査用液体が排出される経路を撮影した排出経路写真３１を記録するように設ける。
【００１０】
第４の手段において、前記写真資料部３０は、前記建物に与えた影響欄２４に記録される雨漏による主要構造体及び下地材への影響状態を撮影した影響状態写真３２を記録するように設けたことを課題解消の手段とする。
【考案の効果】
【００１１】
本考案は、請求項１のごとく、一定量だけ注入した検査用液体の量の変化が記録される検査結果欄２１と、注入した検査用液体が排出される経路が記録される漏水経緯欄２２と、該漏水経緯から分析した雨漏りの原因が記載される雨漏原因欄２３と、を報告書本体２０に設けたことにより、新しい雨漏り検査方法で得られたデータが示す原因や対処法を依頼者に分かり易く説明することが可能になった。
【００１２】
特に、検査結果欄２１及び漏水経緯欄２２は、一定量だけ注入した検査用液体の量の変化が記録される検査結果や注入した検査用液体が排出される経路が記録されるので、雨漏りの位置や経路を具体化して依頼者に分かり易く説明することができる。
【００１３】
請求項２のごとく、漏水経緯欄２２及び検査結果欄２１の記録に基づいて、目視並びに内視鏡で確認された雨漏による主要構造体及び下地材への影響が記録されるように、建物に与えた影響欄２４を設けたことで、新しい雨漏り検査方法による検査結果の裏付けとなる具体的な情報や対処法などを報告することができる。
【００１４】
請求項３では、漏水経緯欄２２に記録される検査用液体が排出される経路を撮影した排出経路写真３１を写真資料部３０に記録するように設けているので、この排出経路写真３１により、漏水経緯欄２２に記録された内容の理解を補助することができる。
【００１５】
請求項４により、建物に与えた影響欄２４に記録される雨漏による主要構造体及び、下地材への影響状態を撮影した影響状態写真３２を記録するように設けたことから、依頼人は、雨漏りによる被害状況を客観的に把握することが可能になる。
【００１６】
このように、本考案によると、新しい雨漏り検査方法で得られたデータが示す原因や対処法を依頼者に分かり易く説明することが可能になり、報告を受けた依頼人は、報告書の内容が理解し易く、被害状況を客観的に把握することが可能になるなどといった実用上有益な効果を奏するものである。
【考案を実施するための最良の形態】
【００１７】
本考案の最良の形態は、日付欄１１、タイトル欄１２、依頼人欄１３を設けた表紙部１０と、検査日欄２５、建物種類別欄２６、漏水箇所指定欄２７を設けた報告書本体２０と、検査状況を撮影した写真を備えた写真資料部３０とを設ける。報告書本体２０に、一定量だけ注入した検査用液体の量の変化が記録される検査結果欄２１と、注入した検査用液体が排出される経路が記録される漏水経緯欄２２と、該漏水経緯から分析した雨漏りの原因が記載される雨漏原因欄２３と、を設ける。前記報告書本体２０に、前記漏水経緯欄２２及び前記検査結果欄２１の記録に基づいて目視並びに内視鏡で確認された雨漏による主要構造体及び下地材への影響が記録される、建物に与えた影響欄２４を設ける。前記写真資料部３０に、前記漏水経緯欄２２に記録される検査用液体が排出される経路を撮影した排出経路写真３１を記録するように設ける。前記写真資料部３０に、前記建物に与えた影響欄２４に記録される雨漏りによる主要構造体及び下地材への影響状態を撮影した影響状態写真３２を記録するように設けることで、当初の目的を達成するものである。
【実施例】
【００１８】
以下、図面を参照して本考案の実施の形態を説明する。本考案は、新しい技法で検査した後、雨漏りの原因や対処法を正確に報告する報告書用印刷物である。本考案報告書の構成は、表紙部１０と報告書本体２０と写真資料部３０とで構成される（図１参照）。
【００１９】
表紙部１０は、日付欄１１、タイトル欄１２、依頼人欄１３を設けたもので、報告書として一般的な表紙である（図１参照）。
【００２０】
報告書本体２０は、検査日欄２５、建物種類別欄２６、漏水箇所指定欄２７を設けたもので、本考案の重要な構成になっている。すなわち、この報告書本体２０には、更に検査結果欄２１、漏水経緯欄２２、雨漏原因欄２３、建物に与えた影響欄２４を設けている（図２参照）。
【００２１】
検査結果欄２１は、一定量だけ注入した検査用液体の量の変化が記録され、漏水経緯欄２２は、注入した検査用液体が排出される経路が記録されるものである。更に、建物に与えた影響欄２４は、これら漏水経緯欄２２及び前記検査結果欄２１の記録に基づいて目視並びに内視鏡で確認された雨漏りによる主要構造体及び下地材への影響が記録されるものになっている。
【００２２】
雨漏原因欄２３は、漏水経緯から分析した雨漏りの原因が記載される。この雨漏原因欄２３は、新しい技法で検査したデータを基にして検査員が雨漏りの原因を特定した結論を記入する。したがって、この原因に基づいて建物の改修案を記載する改修提案欄２８を報告書本体２０に併記することができる。
【００２３】
報告書本体２０には、この他に、総合所見欄２９や検査を行った担当者名などの記載欄など、報告書に必要な事項等を記す適宜表示部を設けることができる。
【００２４】
写真資料部３０は、報告書本体２０の記録や報告内容を客観的に示すように、検査状況を撮影した写真を記録するものである。そこで、この写真資料部３０には、排出経路写真３１や影響状態写真３２などが表示される（図３参照）。
【００２５】
排出経路写真３１は、前記漏水経緯欄２２に記録される検査用液体が排出される経路を撮影した写真を表示したものである。一方、影響状態写真３２は、前記建物に与えた影響欄２４に記録される雨漏による主要構造体及び下地材への影響状態を撮影した影響状態写真３２を記録するように設けられている。この他、内視鏡での検査状態を写した写真など、検査に必要と思われる各種の写真を表示することができる。
【００２６】
尚、本考案の構成は図示例に限られるものではなく、表紙部１０はもとより、報告書本体２０や写真資料部３０の表示や構成などは本考案の用紙を変更しない範囲で任意に変更することができる。
【図面の簡単な説明】
【００２７】
【図１】本考案の一実施例を示す斜視図である。
【図２】本考案の報告書本体の一実施例を示す正面図である。
【図３】本考案の写真資料部の一実施例を示す正面図である。
【符号の説明】
【００２８】
１０  表紙部
１１  日付欄
１２  タイトル欄
１３  依頼人欄
２０  報告書本体
２１  検査結果欄
２２  漏水経緯欄
２３  雨漏原因欄
２４  建物に与えた影響欄
２５  検査日欄
２６  建物種類別欄
２７  漏水箇所指定欄
２８  改修提案欄
２９  総合所見欄
３０  写真資料部
３１  排出経路写真
３２  影響状態写真
【図１】
0003149652.tif 000003
【図２】
0003149652.tif 000004
【図３】
0003149652.tif 000005
【手続補正書】
【提出日】平成21年1月23日(2009.1.23)
【手続補正１】
【補正対象書類名】実用新案登録請求の範囲
【補正対象項目名】請求項３
【補正方法】変更
【補正の内容】
【請求項３】
前記写真資料部は、前記漏水経緯欄に記録された検査用液体が排出される経路を撮影した排出経路写真を記録するように設けられた請求項１に記載の雨漏り検査結果報告書用印刷物。
【手続補正２】
【補正対象書類名】実用新案登録請求の範囲
【補正対象項目名】請求項４
【補正方法】変更
【補正の内容】
【請求項４】
前記写真資料部は、前記建物に与えた影響欄に記録された雨漏りによる主要構造体及び下地材への影響状態を撮影した影響状態写真を記録するように設けられた請求項２に記載の雨漏り検査結果報告書用印刷物。